(57)【要約】【課題】ブラシ及び整流子の摩耗粉が通電部品に付着する可能性を低減できるブラシ付モータを提供する。【解決手段】ブラシ付モータは、回転軸１００と同軸に設けられた円筒状の整流子１０１を有するモータ本体１０と、整流子１０１の周方向１０１ａに離間して設けられた複数のブラシ１１１と、複数のブラシ１１１の外周側において整流子１０１の周方向１０１ａ及び軸方向１０１ｂに延在された外周壁１２０ｂとを備えている。複数のブラシ１１１の外周側を取り囲むとともに整流子１０１と複数のブラシ１１１と間の摺動により生じる摩耗粉が付着するように、外周壁１２０ｂの内面に帯状粘着部材１３が貼り付けられている。【選択図】図１
2016220275.tif 000002
【特許請求の範囲】
【請求項１】
回転軸と同軸に設けられた円筒状の整流子を有するモータ本体と、
前記整流子の周方向に離間して設けられた複数のブラシと、
前記複数のブラシの外周側において前記整流子の周方向及び軸方向に延在された外周壁と
を備え、
前記複数のブラシの外周側を取り囲むとともに前記整流子と前記複数のブラシと間の摺動により生じる摩耗粉が付着するように、表裏両面に粘着面が形成された帯状粘着部材が前記外周壁の内面に貼り付けられている
ことを特徴とするブラシ付モータ。
【請求項２】
前記帯状粘着部材の少なくとも一方の面には、前記帯状粘着部材の長手方向に沿って粘着部と非粘着部とが交互に設けられている
ことを特徴とする請求項１記載のブラシ付モータ。
【請求項３】
前記粘着部及び前記非粘着部は、前記帯状粘着部材の幅方向に対して傾斜して延在されている
ことを特徴とする請求項２記載のブラシ付モータ。
【請求項４】
前記帯状粘着部材の少なくとも一方の面には、前記帯状粘着部材の長手方向の全域に渡って粘着部が連続して設けられている
ことを特徴とする請求項１から請求項３までのいずれか一項に記載のブラシ付モータ。
【発明の詳細な説明】
【技術分野】
【０００１】
本発明は、ブラシ及び整流子を有するブラシ付モータに関する。
【背景技術】
【０００２】
従来用いられていたこの種のブラシ付モータとしては、例えば下記の特許文献１等に示されている構成を挙げることができる。図６は、従来のブラシ付モータの断面図である。図６に示すように、従来のブラシ付モータには、モータ本体６０、ブラシユニット６１及びブラケット６２が設けられている。
【０００３】
モータ本体６０は、回転軸６００と、この回転軸６００と同軸に設けられた円筒状の整流子６０１とを有している。ブラシユニット６１は、円環状の保持板６１０と、この保持板６１０に取り付けられた複数のブラシ６１１とを有している。複数のブラシ６１１は、整流子６０１の周方向に離間して設けられている。ブラケット６２は、ブラケット本体６２０と、このブラケット本体６２０に保持されたベアリング６２１とを有している。ベアリング６２１は、モータ本体６０の回転軸６００を回転自在に支持している。
【０００４】
ブラシ６１１には、図示しない直流電源が接続されている。整流子６０１が各ブラシ６１１に接触されることで、モータ本体６０に電力が供給されて、モータ本体６０の回転軸６００が回転駆動される。回転軸６００の回転により、整流子６０１は複数のブラシ６１１の内周面上を摺動される。この整流子６０１と複数のブラシ６１１と間の摺動により、摩耗粉が生じる。摩耗粉がベアリング６２１に付着すると、ベアリング６２１に不具合が生じる。このため、従来構成では、保持板６１０の内縁から仕切片６１０ａを突出させて、摩耗粉がベアリング６２１に向かうことを仕切片６１０ａによって防いでいる。
【先行技術文献】
【特許文献】
【０００５】
【特許文献１】特開２０１０−７４８６７号公報
【発明の概要】
【発明が解決しようとする課題】
【０００６】
上記のような従来のブラシ付モータでは、仕切片６１０ａを有する保持板６１０を用いているので、ベアリング６２１への摩耗粉の付着を防ぐことができるものの、摩耗粉が他の部品に付着することは防ぐことができない。導電性の摩耗粉が通電部品に付着した場合、短絡が生じる恐れがある。
【０００７】
本発明は、上記のような課題を解決するためになされたものであり、その目的は、ブラシ及び整流子の摩耗粉が通電部品に付着する可能性を低減できるブラシ付モータを提供することである。
【課題を解決するための手段】
【０００８】
本発明に係るブラシ付モータは、回転軸と同軸に設けられた円筒状の整流子を有するモータ本体と、整流子の周方向に離間して設けられた複数のブラシと、複数のブラシの外周側において整流子の周方向及び軸方向に延在された外周壁とを備え、複数のブラシの外周側を取り囲むとともに整流子と複数のブラシと間の摺動により生じる摩耗粉が付着するように、表裏両面に粘着面が形成された帯状粘着部材が外周壁の内面に貼り付けられている。
【発明の効果】
【０００９】
本発明のブラシ付モータによれば、複数のブラシの外周側を取り囲むとともに整流子と複数のブラシと間の摺動により生じる摩耗粉が付着するように、表裏両面に粘着面が形成された帯状粘着部材が外周壁の内面に貼り付けられているので、ブラシ及び整流子の摩耗粉が通電部品に付着する可能性を低減できる。
【図面の簡単な説明】
【００１０】
【図１】本発明の実施の形態によるブラシ付モータの断面図である。
【図２】図１の線ＩＩ−ＩＩに沿う断面図である。
【図３】図２の帯状粘着部材を示す説明図である。
【図４】図３の帯状粘着部材の第１変形例である。
【図５】図３の帯状粘着部材の第２変形例である。
【図６】従来のブラシ付モータの断面図である。
【発明を実施するための形態】
【００１１】
以下、本発明を実施するための形態について、図面を参照して説明する。
図１は本発明の実施の形態によるブラシ付モータの断面図であり、図２は図１の線ＩＩ−ＩＩに沿う断面図である。図１に示すように、本実施の形態のブラシ付モータには、モータ本体１０、ブラシユニット１１及びブラケット１２が設けられている。
【００１２】
モータ本体１０は、回転軸１００と、この回転軸１００と同軸に設けられた円筒状の整流子１０１とを有している。ブラシユニット１１は、円環状の保持板１１０と、この保持板１１０に取り付けられた複数のブラシ１１１とを有している。図２に示すように、複数のブラシ１１１は、整流子１０１の周方向１０１ａに離間して設けられている。
【００１３】
ブラケット１２は、ブラケット本体１２０と、このブラケット本体１２０に保持されたベアリング１２１とを有している。ベアリング１２１は、モータ本体１０の回転軸１００を回転自在に支持している。ブラケット本体１２０には、円環状の端壁１２０ａと、端壁１２０ａの外径側から延出された円筒状の外周壁１２０ｂとが設けられている。ベアリング１２１は、端壁１２０ａの内径側に配置されている。外周壁１２０ｂは、複数のブラシ１１１の外周側において整流子１０１の周方向１０１ａ及び軸方向１０１ｂに延在されている。
【００１４】
ブラシ１１１には、図示しない直流電源が接続されている。整流子１０１が各ブラシ１１１に接触されることで、モータ本体１０に電力が供給されて、モータ本体１０の回転軸１００が回転駆動される。回転軸１００の回転により、整流子１０１は複数のブラシ１１１の内周面上を摺動される。この整流子１０１と複数のブラシ１１１と間の摺動により摩耗粉が生じる。保持板１１０には、摩耗粉がベアリング１２１に向かうことを防ぐために、保持板１１０の内縁から突出された仕切片１１０ａが設けられている。
【００１５】
また、外周壁１２０ｂの内面には、複数のブラシ１１１の外周側を取り囲むとともに整流子１０１と複数のブラシ１１１と間の摺動により生じる摩耗粉が付着するように、帯状粘着部材１３が貼り付けられている。帯状粘着部材１３は、絶縁性の素材により構成されるものであり、表裏両面に粘着面が形成されたものである。帯状粘着部材１３に摩耗粉が付着することで、摩耗粉が通電部品に付着する可能性が低減される。
【００１６】
次に、図３は、図２の帯状粘着部材１３を示す説明図である。図３に示すように、帯状粘着部材１３は、帯状粘着部材１３の長手方向１３ａの全域に渡って粘着部１３０が連続して設けられたものとすることができる。長手方向１３ａの全域に渡って粘着部１３０が連続して設けられることで、より多くの摩耗粉を帯状粘着部材１３に付着させることができる。
【００１７】
次に、図４は、図３の帯状粘着部材１３の第１変形例である。図４に示すように、帯状粘着部材１３は、帯状粘着部材１３の長手方向１３ａに沿って粘着部１３０と非粘着部１３１とが交互に設けられたものとすることもできる。粘着部１３０及び非粘着部１３１の数は任意である。摩耗粉は、粘着部１３０のみに粘着される。粘着部１３０と非粘着部１３１とが交互に設けられることで、粘着部１３０に付着した摩耗粉がつながることによりモータの耐圧性能が低下する可能性を低減できる。また、外周壁１２０ｂの内面に帯状粘着部材１３を貼り付ける際に粘着部１３０同士がくっつくことにより帯状粘着部材１３にしわが生じる可能性を低減でき、製造作業の効率を向上させることができる。
【００１８】
次に、図５は、図３の帯状粘着部材１３の第２変形例である。図５に示すように、粘着部１３０及び非粘着部１３１は、帯状粘着部材１３の幅方向１３ｂに対して傾斜して延在されていてもよい。帯状粘着部材１３の幅方向１３ｂに対して粘着部１３０及び非粘着部１３１が傾斜して延在されていることで、幅方向１３ｂに沿って見たときに粘着部１３０が全く存在しない領域を少なくすることができ、摩耗粉が帯状粘着部材１３に付着する割合を増やすことができる。この態様でも、外周壁１２０ｂの内面に帯状粘着部材１３を貼り付ける際に帯状粘着部材１３にしわが生じる可能性を低減でき、製造作業の効率を向上させることができる。
【００１９】
なお、図２の帯状粘着部材１３の態様と図３又は図４の帯状粘着部材１３の態様とを組み合わせてもよい。すなわち、外周壁１２０ｂの内面に接する側の帯状粘着部材１３の面を図３又は図４の態様とし、その反対の側の帯状粘着部材１３の面を図２の態様としてもよい。このような態様を採ることで、より多くの摩耗粉を帯状粘着部材１３に付着させることができるとともに、製造作業の効率を向上させることができる。
【００２０】
このようなブラシ付モータでは、複数のブラシ１１１の外周側を取り囲むとともに整流子１０１と複数のブラシ１１１と間の摺動により生じる摩耗粉が付着するように、外周壁１２０ｂの内面に帯状粘着部材１３が貼り付けられているので、ブラシ１１１及び整流子１０１の摩耗粉が通電部品に付着する可能性を低減できる。
【００２１】
また、帯状粘着部材１３の長手方向１３ａに沿って粘着部１３０と非粘着部１３１とが交互に設けられているので、モータの耐圧性能が低下する可能性を低減できるとともに、製造作業の効率を向上させることができる。
【００２２】
さらに、粘着部１３０及び非粘着部１３１が帯状粘着部材１３の幅方向１３ｂに対して傾斜して延在されているので、摩耗粉が帯状粘着部材１３に付着する割合を増やすことができる。
【００２３】
さらにまた、帯状粘着部材１３の長手方向１３ａの全域に渡って粘着部１３０が連続して設けられているので、より多くの摩耗粉を帯状粘着部材１３に付着させることができる。
【００２４】
なお、実施の形態では、ブラケット１２を構成する外周壁１２０ｂの内面に帯状粘着部材１３を貼り付けるように説明したが、帯状粘着部材１３を貼り付ける外周壁はブラケットの一部でなくてもよい。
【符号の説明】
【００２５】
１０  モータ本体
１００  回転軸
１０１  整流子
１１１  ブラシ
１２０ｂ  外周壁
１３  帯状粘着部材
１３０  粘着部
１３１  非粘着部
【図１】
2016220275.tif 000003
【図２】
2016220275.tif 000004
【図３】
2016220275.tif 000005
【図４】
2016220275.tif 000006
【図５】
2016220275.tif 000007
【図６】
2016220275.tif 000008